(57)【要約】  【課題】  通話路パッケージ毎にレベル調整機能を備えたため通話路モジュールが大型化し、さらにはコスト増となる。  【解決手段】  構内交換機全体を制御するＣＰＥ１０と、このＣＰＥからの制御データを配信するＳＲＤ２３及び、ＰＢ信号を発生するＴＧ２１を含むＴＳＷ２０と、通信回線３０とのインタフェースを司る複数のＳＰＰＫ４０及び、これら複数のＳＰＰＫを管理制御すると共に、ＴＳＷとのインタフェースを司るＭＣＮＴ６０を搭載したＳＰＭ５０とを有し、ＣＰＥは、ＴＧを駆動制御し、このＴＧにて発生したＰＢ信号をＳＰＭに送出すると共に、ＳＲＤを通じて同ＰＢ信号のレベル制御に関わる制御データをＳＰＭに送出するＰＢ信号送出制御装置であって、ＭＣＮＴは、ＳＲＤからのＰＢ信号のレベル制御に関わる制御データを検出すると、同制御データに基づき、ＴＧから受信したＰＢ信号の出力レベルを調整し、このレベル調整したＰＢ信号を、複数のＳＰＰＫの内、任意のＳＰＰＫに出力するレベル調整部６４を備えたものである。【選択図】  図１
2006325128.tif 000002
【特許請求の範囲】
【請求項１】
構内交換機全体を制御する中央処理装置と、この中央処理装置からの制御データを配信する信号受信分配装置及び、ＰＢ信号を発生するトーン発生回路を含む通話路制御装置と、通信回線との通信インタフェースを司る複数の通話路パッケージ及び、これら複数の通話路パッケージを管理制御すると共に、前記通話路制御装置との通信インタフェースを司るモジュール制御装置を搭載した通話路モジュールとを有し、前記中央処理装置は、前記トーン発生回路を駆動制御することで、このトーン発生回路にて発生したＰＢ信号を前記通話路モジュールに送出すると共に、前記信号受信分配装置を通じて同ＰＢ信号のレベル制御に関わる制御データを前記通話路モジュールに送出する前記構内交換機のＰＢ信号送出制御装置であって、
前記モジュール制御装置は、
前記信号受信分配装置からの前記ＰＢ信号のレベル制御に関わる制御データを検出すると、同制御データに基づき、前記トーン発生回路から受信したＰＢ信号をレベル制御し、このレベル制御したＰＢ信号を、前記複数の通話路パッケージの内、任意の通話路パッケージに送出するレベル制御手段を有することを特徴とする構内交換機のＰＢ信号送出制御装置。
【発明の詳細な説明】
【技術分野】
【０００１】
本発明は、構内交換機から外部にＰＢ信号を送出する際のＰＢ信号のレベルを制御する構内交換機のＰＢ信号送出制御装置に関する。
【背景技術】
【０００２】
従来、このような構内交換機から外部にＰＢ信号を送出する際のＰＢ信号のレベルを制御するＰＢ信号送出制御装置が知られている（例えば特許文献１参照）。図２は従来技術の構内交換機のＰＢ信号送出制御装置内部の概略構成を示すブロック図である。
【０００３】
図２に示すＰＢ信号送出制御装置１００は、構内交換機全体を制御する中央処理装置(以下、単にＣＰＥと称する)１１０と、構内交換機の通話路を制御する通話路制御装置(以下、単にＴＳＷと称する)１２０と、例えば局線や内線等の通信回線１３０との通信インタフェースを司る複数の通話路パッケージ(以下、単にＳＰＰＫと称する)１４０を搭載した複数の通話路モジュール(以下、単にＳＰＭと称する)１５０とを有している。
【０００４】
ＴＳＷ１２０は、例えばダイヤルトーン及びＰＢ信号等の可聴音を発生するトーン発生回路(以下、単にＴＧと称する)１２１と、音声通話路を形成する時分割スイッチ(以下、単にＳＷと称する)１２２と、ＣＰＥ１１０から受信したデータを各ＳＰＭ１５０に分配すると共に、各ＳＰＭ１５０から受信したデータをＣＰＥ１１０に送信する信号受信分配装置(以下、単にＳＲＤと称する)１２３と、ＳＷ１２２を通過する音声の出力レベルを調整するレベル調整用ＰＡＤ１２４とを有している。
【０００５】
ＳＰＭ１５０は、複数のＳＰＰＫ１４０と、これら複数のＳＰＰＫ１４０を管理制御すると共に、ＴＳＷ１２０との通信インタフェースを司るモジュール制御装置(以下、単にＭＣＮＴと称する)１６０とを有している。尚、ＳＰＭ１５０は、バックワイヤリングボード及び複数のユニバーサルスロットを備えて、複数枚のＳＰＰＫ１４０を搭載可能としている。
【０００６】
ＭＣＮＴ１６０は、ＴＳＷ１２０との通信インタフェースを司るＴＳＷインタフェース１６１と、パッケージ側時分割スイッチ（以下、単にＳＥＬと称する）１６２と、ＭＣＮＴ１６０全体を制御する制御部１６３とを有している。
【０００７】
ＳＰＰＫ１４０は、音声系のＨＷインタフェース１４１と、デジタル／アナログ変換回路(以下、単にＤ／Ａと称する)１４２と、例えば音声やＰＢ信号のトーン等の出力レベルを調整するオペアンプ等のレベル調整部１４３と、例えば局線や内線等の通信回線１３０との通信インタフェースを司る回線インタフェース１４４と、このＳＰＰＫ１４０全体を制御するパッケージ側制御部(以下、単にＰＫ制御部と称する)１４５とを有している。尚、ＳＰＰＫ１４０は、例えば局線や内線等の通信回線１３０の回線種別毎に設けるものとする。
【０００８】
また、ＳＰＭ１５０は、音声信号が伝送する通話路モジュール側ハイウェイ(以下、単にＳＰＭＨＷ)１５１と、制御データが伝送する通話路モジュール側制御データ線(以下、単にＳＰＭＤと称する)１５２とを有し、ＳＰＭＨＷ１５１は、ＭＣＮＴ１６０内のＳＥＬ１６２及びＳＰＰＫ１４０内のＨＷインタフェース１４１間を接続すると共に、ＳＰＭＤ１５２は、ＭＣＮＴ１６０内の制御部１６３及びＳＰＰＫ１４０内のＰＫ制御部１４５間を接続するものである。尚、ＳＰＭ１５０は、複数のＳＰＰＫ１４０を搭載し、ＳＰＭＨＷ１５１及びＳＰＭＤ１５２を通じて複数のＳＰＰＫ１４０と通信接続するものである。
【０００９】
また、ＴＳＷ１２０は、ＴＧ１２１で発生した可聴音が伝送するトーンハイウェイ(以下、単にＴＨＷと称する)１２５と、音声信号が伝送するハイウェイ（以下、単にＨＷと称する）１２６と、制御データが伝送する制御シリアルデータ線(以下、単にＳＤと称する)１２７とを有し、ＴＨＷ１２５は、ＴＳＷ１２０内のＴＧ１２１及びＭＣＮＴ１６０内のＳＥＬ１６２間を接続すると共に、ＨＷ１２６は、ＴＳＷ１２０内のＳＷ１２２及びＭＣＮＴ１６０内のＴＳＷインタフェース１６１間を接続すると共に、ＳＤ１２７は、ＴＳＷ１２０内のＳＲＤ１２３及びＭＣＮＴ１６０内の制御部１６３間を接続するものである。尚、ＴＳＷ１２０は、複数のＳＰＭ１５０を収容接続し、ＳＰＭ１５０毎にＨＷ１２６及びＳＤ１２７を備え、さらに複数のＳＰＭ１５０でＴＨＷ１２５を共有化しているものとする。
【００１０】
例えば０番のＳＰＭ１５０（ＳＰＭ０）は０番のＨＷ１２６（ＨＷ０）及び０番のＳＤ１２７（ＳＤ０）でＴＳＷ１２０と接続し、１番のＳＰＭ１５０（ＳＰＭ１）は１番のＨＷ１２６（ＨＷ１）及び１番のＳＤ１２７（ＳＤ１）でＴＳＷ１２０と接続するものである。
【００１１】
例えば０番のＳＰＭ１５０（ＳＰＭ０）内の０番のＳＰＰＫ１４０（ＳＰＰＫ０）に収容接続する通信回線(内線)１３０の内線電話機から、例えば１番のＳＰＭ１５０（ＳＰＭ１）内の０番のＳＰＰＫ１４０（ＳＰＰＫ０）に収容接続する通信回線(局線)１３０に対してＰＢ信号を発信する場合の動作について説明する。
【００１２】
０番のＳＰＭ１５０内の０番のＳＰＰＫ１４０内部のＰＫ制御部１４５は、回線インタフェース１４４を通じて内線電話機のオフフックを検出すると、ＳＰＭＤ１５２を通じてオフフック検出データをＭＣＮＴ１６０内の制御部１６３に通知する。
【００１３】
ＭＣＮＴ１６０内の制御部１６３は、ＳＰＭＤ１５２を通じてオフフック検出データを検出すると、０番のＳＤ１２７を通じて同オフフック検出データをＴＳＷ１２０内のＳＲＤ１２３に通知する。ＳＲＤ１２３は、０番のＳＤ１２７を通じてオフフック検出データを受信すると、同オフフック検出データをＣＰＥ１１０に通知する。
【００１４】
ＣＰＥ１１０は、ＳＲＤ１２７からのオフフック検出データを受信すると、内線電話機のオフフックを認識し、ＴＧ１２１を駆動制御することで、同内線電話機に対してダイヤルトーンを発生し、このダイヤルトーンをＴＨＷ１２５経由で０番のＳＰＭ１５０に送出する。
【００１５】
０番のＳＰＭ１５０内のＭＣＮＴ１６０のＳＥＬ１６２は、ＴＨＷ１２５を通じてダイヤルトーンを受信すると、同ダイヤルトーンをＳＰＭＨＷ１５１経由で０番のＳＰＰＫ１４０内のＨＷインタフェース１４１に送出する。ＨＷインタフェース１４１は、ＳＰＭＨＷ１５１経由でダイヤルトーンを受信すると、このダイヤルトーンをＤ／Ａ１４２にてアナログ変換し、このアナログ変換したダイヤルトーンをレベル調整部１４３に伝送する。
【００１６】
レベル調整部１４３は、ダイヤルトーンの制御データに基づき、アナログ変換したダイヤルトーンをレベル調整すると共に、同レベル制御したダイヤルトーンを、回線インタフェース１４４を通じて通信回線１３０、例えば内線電話機に送出することになる。
【００１７】
さらに、内線電話機のユーザは、ダイヤルトーンを受聴後、同内線電話機の発信ダイヤル操作を実行する。同内線電話機を収容接続するＳＰＰＫ１４０内のＰＫ制御部１４５は、内線電話機からの発信ダイヤル操作を検出すると、同発信ダイヤル操作に関わるダイヤル情報をＳＰＭＤ１５２、ＭＣＮＴ１６０内の制御部１６３、ＳＤ１２７及びＴＳＷ１２０内のＳＲＤ１２３経由でＣＰＥ１１０に通知する。
【００１８】
ＣＰＥ１１０は、ダイヤル情報を受信すると、ＴＳＷ１２０内のＴＧ１２１を駆動制御することでダイヤル情報に関わるＰＢ信号を発生させ、このＰＢ信号をＴＨＷ１２５経由で発信相手先の１番のＳＰＭ１５０のＭＣＮＴ１６０内のＳＥＬ１６２に配信する。
【００１９】
また、ＣＰＥ１１０は、ＴＧ１２１からＰＢ信号を発生させると、同ＰＢ信号の音種別、送出時間及び送出レベル制御等の制御データをＴＳＷ１２０内のＳＲＤ１２３に通知する。ＳＲＤ１２３は、同制御データを、ＳＤ１２７を通じて発信相手先の１番のＳＰＭ１５０内のＭＣＮＴ１６０に通知する。
【００２０】
ＭＣＮＴ１６０内の制御部１６３は、ＳＤ１２７を通じて制御データを受信すると、同制御データの内、ＰＢ信号の音種別及び送出時間に基づき、ＳＥＬ１６２を駆動制御することで、ＴＨＷ１２５で受信したＰＢ信号をＳＰＭＨＷ１５１に出力すると共に、同制御データの内、送出レベルをＳＰＭＤ１５２経由で０番のＳＰＰＫ１４０内のＰＫ制御部１４５に通知する。尚、制御部１６３は、ＰＢ信号をＳＰＭＨＷ１５１に出力する場合、ＳＥＬ１６２をオンし、ＴＨＷ１２５及びＳＰＭＨＷ１５１間を接続すると共に、同ＳＰＭＨＷ１５１にＰＢ信号を出力しない場合、ＳＥＬ１６２をオフすることでＴＳＷインタフェース１６１及びＳＰＭＨＷ１５１間を接続するものである。また、ＰＫ制御部１４５は、ＭＣＮＴ１６０内の制御部１６３から出力レベルの制御データを受信すると、同制御データに基づきレベル調整部１４３を制御するものである。
【００２１】
ＳＰＰＫ１４０のＨＷインタフェース１４１は、ＳＰＭＨＷ１５１を通じてＰＢ信号を受信すると、このＰＢ信号をＤ／Ａ１４２にてアナログ変換し、このアナログ変換したＰＢ信号をレベル調整部１４３に伝送する。
【００２２】
レベル調整部１４３は、制御部１６３からのＰＢ信号の制御データに基づき、アナログ変換したＰＢ信号をレベル調整すると共に、同レベル調整したＰＢ信号を、回線インタフェース１４４を通じて通信回線１３０に出力することになる。
【００２３】
従って、従来のＰＢ信号送出制御装置１００によれば、ＳＰＰＫ１４０毎にＰＢ信号の出力レベルを調整するレベル調整部１４３を配置しておき、ＰＢ信号を出力する場合、ＣＰＥ１１０の同ＰＢ信号に関わる制御データをＴＳＷ１２０内のＳＲＤ１２３及びＳＰＭ１５０内のＭＣＮＴ１６０経由でＳＰＰＫ１４０内のＰＫ制御部１４５に通知し、同ＳＰＰＫ１４０内のＰＫ制御部１４５の駆動制御に基づき、同ＳＰＰＫ１４０内のレベル調整部１４３にて同ＰＢ信号の出力レベルを調整するようにしたので、ＳＰＰＫ１４０側でＰＢ信号のレベルを調整することができ、しかも、ＣＰＥ１１０側ではＰＢ信号の出力レベルを調整する制御データをＳＰＰＫ１４０に通知するだけで済むため、そのＣＰＥ１１０の制御負担を大幅に改善することができる。
【特許文献１】特開２０００−２３６５６２号公報（要約書及び図1参照）
【発明の開示】
【発明が解決しようとする課題】
【００２４】
しかしながら、上記従来のＰＢ信号送出制御装置１００によれば、ＣＰＥ１１０側ではＰＢ信号の出力レベルを調整する制御データのみをＴＳＷ１２０内のＳＲＤ１２３及びＳＰＭ１５０内のＭＣＮＴ１６０経由でＳＰＰＫ１４０に通知し、同ＳＰＰＫ１４０内部のレベル調整部１４３では同制御データに基づきＰＢ信号の出力レベルを調整するようにしたが、同レベル調整部１４３はＳＰＰＫ１４０毎に設ける必要があるため物理的スペース及びコスト面を考慮すると、ＳＰＰＫ１４０毎にレベル調整部１４３を配置することは非常に無駄である。
【００２５】
また、物理的スペース及びコスト面を考慮すると、ＳＰＰＫ１４０毎にではなく、ＴＳＷ１２０のみに同レベル調整部を設けることも考えられるが、ＴＳＷ１２０は複数のＳＰＰＫ１４０を搭載したＳＰＭ１５０を複数収容接続することになるため、回線数が増大、すなわちＳＰＰＫ１４０の数が増えると、ＴＳＷ１２０に大きな負担がかかるといった事態が考えられる。
【００２６】
そこで、本発明は上記点に鑑みてなされたものであり、その目的とするところは、ＴＳＷの負担を大幅に軽減しながら、通話路パッケージの小型化及びコストパフォーマンスの向上を図り、その結果、通話路モジュールの小型化及びコストパフォーマンスの向上を図ることができる構内交換機のＰＢ信号送出制御装置を提供することにある。
【課題を解決するための手段】
【００２７】
上記目的を達成するために本発明の構内交換機のＰＢ信号送出制御装置は、構内交換機全体を制御する中央処理装置と、この中央処理装置からの制御データを配信する信号受信分配装置及び、ＰＢ信号を発生するトーン発生回路を含む通話路制御装置と、通信回線との通信インタフェースを司る複数の通話路パッケージ及び、これら複数の通話路パッケージを管理制御すると共に、前記通話路制御装置との通信インタフェースを司るモジュール制御装置を搭載した通話路モジュールとを有し、前記中央処理装置は、前記トーン発生回路を駆動制御することで、このトーン発生回路にて発生したＰＢ信号を前記通話路モジュールに送出すると共に、前記信号受信分配装置を通じて同ＰＢ信号のレベル制御に関わる制御データを前記通話路モジュールに送出する前記構内交換機のＰＢ信号送出制御装置であって、前記モジュール制御装置は、前記信号受信分配装置からの前記ＰＢ信号のレベル制御に関わる制御データを検出すると、同制御データに基づき、前記トーン発生回路から受信したＰＢ信号をレベル制御し、このレベル制御したＰＢ信号を、前記複数の通話路パッケージの内、任意の通話路パッケージに送出するレベル制御手段を有するようにした。
【発明の効果】
【００２８】
上記のように構成された本発明の構内交換機のＰＢ信号送出制御装置によれば、前記モジュール制御装置にレベル制御手段を配置し、前記信号受信分配装置からの前記ＰＢ信号のレベル制御に関わる制御データを検出すると、同制御データに基づき、前記トーン発生回路から受信したＰＢ信号をレベル制御し、このレベル制御したＰＢ信号を、前記複数の通話路パッケージの内、任意の通話路パッケージに送出するようにしたので、従来のような通話路パッケージ毎に設ける必要がなく、しかも、通話路制御装置側の負担を大幅に軽減しながら、通話路パッケージの小型化及びコストパフォーマンスの向上を図り、その結果、通話路モジュールの小型化及びコストパフォーマンスの向上を図ることができる。
【発明を実施するための最良の形態】
【００２９】
以下、図面に基づいて本発明の実施の形態を示す構内交換機のＰＢ信号送出制御装置について説明する。図１は本実施の形態を示す構内交換機のＰＢ信号送出制御装置内部の概略構成を示すブロック図である。
【００３０】
図１に示すＰＢ信号送出制御装置１は、構内交換機全体を制御する中央処理装置(以下、単にＣＰＥと称する)１０と、構内交換機の通話路を制御する通話路制御装置(以下、単にＴＳＷと称する)２０と、例えば局線や内線等の通信回線３０との通信インタフェースを司る複数の通話路パッケージ(以下、単にＳＰＰＫと称する)４０を搭載した複数の通話路モジュール(以下、単にＳＰＭと称する)５０とを有している。
【００３１】
ＴＳＷ２０は、例えばダイヤルトーン及びＰＢ信号等の可聴音を発生するトーン発生回路(以下、単にＴＧと称する)２１と、音声通話路を形成する時分割スイッチ(以下、単にＳＷと称する)２２と、ＣＰＥ１０から受信したデータを各ＳＰＭ５０に分配すると共に、各ＳＰＭ５０から受信したデータをＣＰＥ１０に通知する信号受信分配装置(以下、単にＳＲＤと称する)２３と、ＳＷ２２を通過する音声の出力レベルを調整するレベル調整用ＰＡＤ２４とを有している。
【００３２】
ＳＰＭ５０は、複数のＳＰＰＫ４０と、これら複数のＳＰＰＫ４０を管理制御すると共に、ＴＳＷ２０との通信インタフェースを司るモジュール制御装置(以下、単にＭＣＮＴと称する)６０とを有している。尚、ＳＰＭ５０は、バックワイヤリングボード及び複数のユニバーサルスロットを備えて、複数枚のＳＰＰＫ４０を搭載可能としている。
【００３３】
ＭＣＮＴ６０は、ＴＳＷ２０内のＳＷ２２との通信インタフェースを司るＴＳＷインタフェース６１と、パッケージ側時分割スイッチ（以下、単にＳＥＬと称する）６２と、ＭＣＮＴ６０全体を制御する制御部６３と、ＳＥＬ６２経由のＰＢ信号の出力レベルを調整するオペアンプ等のレベル調整部６４とを有している。
【００３４】
ＳＰＰＫ４０は、音声系のＨＷインタフェース４１と、デジタル／アナログ変換回路(以下、単にＤ／Ａと称する)４２と、例えば局線や内線等の通信回線３０との通信インタフェースを司る回線インタフェース４３と、このＳＰＰＫ４０全体を制御するパッケージ側制御部(以下、単にＰＫ制御部と称する)４４とを有している。尚、ＳＰＰＫ４０は、例えば局線や内線等の通信回線３０の回線種別毎に設けるものとする。
【００３５】
また、ＳＰＭ５０は、音声信号が伝送する通話路モジュール側ハイウェイ(以下、単にＳＰＭＨＷ)５１と、制御データが伝送する通話路モジュール側制御データ線(以下、単にＳＰＭＤと称する)５２とを有し、ＳＰＭＨＷ５１は、ＭＣＮＴ６０内のレベル調整部６４及びＳＰＰＫ４０内のＨＷインタフェース４１間を接続すると共に、ＳＰＭＤ５２は、ＭＣＮＴ６０内の制御部６３及びＳＰＰＫ４０内のＰＫ制御部４４間を接続するものである。尚、ＳＰＭ５０は、複数のＳＰＰＫ４０を搭載し、ＳＰＭＨＷ５１及びＳＰＭＤ５２を通じて複数のＳＰＭ５０と通信接続するものである。
【００３６】
また、ＴＳＷ２０は、ＴＧ２１で発生した可聴音が伝送するトーンハイウェイ(以下、単にＴＨＷと称する)２５と、音声信号が伝送するハイウェイ（以下、単にＨＷと称する）２６と、制御データが伝送する制御シリアルデータ線(以下、単にＳＤと称する)２７とを有し、ＴＨＷ２５は、ＴＳＷ２０内のＴＧ２１及びＭＣＮＴ６０内のＳＥＬ６２間を接続すると共に、ＨＷ２６は、ＴＳＷ２０内のＳＷ２２及びＭＣＮＴ６０内のＴＳＷインタフェース６１間を接続すると共に、ＳＤ２７は、ＴＳＷ２０内のＳＲＤ２３及びＭＣＮＴ６０内の制御部６３間を接続するものである。尚、ＴＳＷ２０は、複数のＳＰＭ５０を収容接続し、ＳＰＭ５０毎にＨＷ２６及びＳＤ２７を備え、複数のＳＰＭ５０でＴＨＷ２５を共有化しているものとする。
【００３７】
例えば０番のＳＰＭ５０（ＳＰＭ０）は０番のＨＷ２６（ＨＷ０）及び０番のＳＤ２７（ＳＤ０）でＴＳＷ２０と接続し、１番のＳＰＭ５０（ＳＰＭ１）は１番のＨＷ２６（ＨＷ１）及び１番のＳＤ２７（ＳＤ１）でＴＳＷ２０と接続するものである。
【００３８】
また、ＭＣＮＴ６０内の制御部６３は、ＣＰＥ１０からのレベル制御に関わる制御データをＴＳＷ２０内のＳＲＤ２３及びＳＤ２７経由で受信すると、同制御データに基づきレベル調整部６４を駆動制御するものである。
【００３９】
レベル調整部６４は、制御部６３の駆動制御に基づき、ＳＥＬ６２経由の音声及びＰＢ信号の出力レベルを調整するものである。つまり、レベル調整部６４では、ＳＰＭ５０に搭載した全ＳＰＰＫ４０へのＰＢ信号の出力レベルを調整するものである。
【００４０】
また、制御部６３は、ＰＢ信号をＳＰＭＨＷ５１に送出する場合、ＳＥＬ６２及びレベル調整部６４をオンし、ＴＨＷ２５及びレベル調整部６４間を接続し、ＳＥＬ６２経由でＴＧ２１からのＰＢ信号の出力レベルを調整し、このレベル調整したＰＢ信号をＳＰＭＨＷ５１に送出するものである。
【００４１】
また、制御部６３は、ＳＰＭＨＷ５１にＰＢ信号を出力しない場合、ＳＥＬ６２及びレベル調整部６４をオフし、ＴＳＷインタフェース６１及びレベル調整部６４間を接続し、ＳＥＬ６２経由でＴＳＷインタフェース６１からの音声をレベル調整することなく、そのまま音声をＳＰＭＨＷ５１に出力するものである。尚、ＣＰＥ１０では、初期設定時においてはＳＥＬ６２及びレベル調整部６４をオフにしているものとする。従って、ＳＰＭＨＷ５１及びＨＷ２６間のレベルは同一ということになる。
【００４２】
例えば０番のＳＰＭ５０（ＳＰＭ０）内の０番のＳＰＰＫ４０（ＳＰＰＫ０）に収容接続する通信回線(内線)３０の内線電話機から、例えば１番のＳＰＭ５０（ＳＰＭ１）内の０番のＳＰＰＫ４０（ＳＰＰＫ０）に収容接続する通信回線(局線)３０に対してＰＢ信号を発信する場合の動作について説明する。
【００４３】
０番のＳＰＭ５０内の０番のＳＰＰＫ４０内部のＰＫ制御部４４は、回線インタフェース４３を通じて内線電話機のオフフックを検出すると、ＳＰＭＤ５２を通じてオフフック検出データをＭＣＮＴ６０内の制御部６３に通知する。
【００４４】
ＭＣＮＴ６０内の制御部６３は、ＳＰＭＤ５２を通じてオフフック検出データを検出すると、０番のＳＤ２７を通じてオフフック検出データをＴＳＷ２０内のＳＲＤ２３に通知する。ＳＲＤ２３は、０番のＳＤ２７を通じてオフフック検出データを受信すると、同オフフック検出データをＣＰＥ１０に通知する。
【００４５】
ＣＰＥ１０は、ＳＲＤ２３からのオフフック検出データを受信すると、内線電話機のオフフックを認識し、ＴＧ２１を駆動制御することで、同内線電話機に対してダイヤルトーンを発生し、このダイヤルトーンをＴＨＷ２５経由で０番のＳＰＭ５０に出力する。
【００４６】
０番のＳＰＭ５０内のＭＣＮＴ６０のＳＥＬ６２は、ＴＨＷ２５を通じてダイヤルトーンを受信すると、同ダイヤルトーンをレベル調整部６４に伝送する。レベル調整部６４は、同ダイヤルトーンをレベル調整してＳＰＭＨＷ５１経由で０番のＳＰＰＫ４０内のＨＷインタフェース４１に出力する。
【００４７】
ＨＷインタフェース４１は、ＳＰＭＨＷ５１経由でダイヤルトーンを受信すると、このダイヤルトーンをＤ／Ａ４２にてアナログ変換し、このアナログ変換したダイヤルトーンを回線インタフェース４３経由で通信回線３０に出力することになる。
【００４８】
さらに、同通信回線３０の終端である内線電話機のユーザは、局線捕捉したことを示すダイヤルトーンを受聴後、同内線電話機の発信ダイヤル操作を実行する。同内線電話機を収容接続するＳＰＰＫ４０内の制御部６３は、内線電話機からの発信ダイヤル操作を検出すると、同発信ダイヤル操作に関わるダイヤル情報をＳＰＭＤ５２、ＭＣＮＴ６０内の制御部６３、ＳＤ２７及びＴＳＷ２０内のＳＲＤ２３経由でＣＰＥ１０に通知する。
【００４９】
ＣＰＥ１０は、ダイヤル情報を受信すると、ＴＳＷ２０内のＴＧ２１を駆動制御することでダイヤル情報に関わるＰＢ信号を発生させ、このＰＢ信号をＴＨＷ２５経由で発信相手先の１番のＳＰＭ５０のＭＣＮＴ６０内のＳＥＬ６２に配信する。
【００５０】
また、ＣＰＥ１０は、ＴＧ２１からＰＢ信号を発生させると、同ＰＢ信号の音種別、送出時間及び出力レベル制御等の制御データをＴＳＷ２０内のＳＲＤ２３に通知する。ＳＲＤ２３は、同制御データを、ＳＤ２７を通じてＳＰＭ５０内のＭＣＮＴ６０に通知する。
【００５１】
ＭＣＮＴ６０内の制御部６３は、ＳＤ２７を通じて制御データを受信すると、同制御データの内、ＰＢ信号の音種別及び送出時間に基づき、ＳＥＬ６２を駆動制御することで、ＴＨＷ２５で受信したＰＢ信号をレベル調整部６４に出力する。尚、制御部６３は、ＳＥＬ６２をオンし、ＴＨＷ２５及びＳＰＭＨＷ５１間を接続する状態にある。
【００５２】
レベル調整部６４は、制御部６３の駆動制御に基づき、ＳＥＬ６２から受信したＰＢ信号の出力レベルを調整し、このレベル調整したＰＢ信号をＳＰＭＨＷ５１に出力する。
【００５３】
ＳＰＰＫ４０のＨＷインタフェース４１は、ＳＰＭＨＷ５１を通じてＰＢ信号を受信すると、このＰＢ信号をＤ／Ａ４２にてアナログ変換し、このアナログ変換したＰＢ信号を、回線インタフェース４３を通じて通信回線３０に出力することになる。
【００５４】
ＭＣＮＴ６０内の制御部６３は、全てのＰＢ信号をＳＰＭＨＷ５１に出力すると、ＰＢ信号送出完了通知をＳＲＤ２３経由でＣＰＥ１０に通知すると共に、ＳＥＬ６２及びレベル調整部６４をオフする初期状態に戻すことになる。
【００５５】
本実施の形態によれば、ＰＢ信号の出力レベルを調整するレベル調整部６４をＭＣＮＴ６０内に配置し、ＰＢ信号を出力する場合、ＣＰＥ１０の同ＰＢ信号に関わる制御データをＴＳＷ２０内のＳＲＤ２３及びＳＤ２７経由でＳＰＭ５０内のＭＣＮＴ６０内の制御部６３に通知し、この制御部６３の駆動制御に基づき、レベル調整部６４にて同ＰＢ信号の出力レベルを調整し、このレベル調整したＰＢ信号を搭載する複数のＳＰＰＫ４０の内、任意のＳＰＰＫ４０に出力するようにしたので、ＳＰＭ５０内のＭＣＮＴ６０側で同ＳＰＭ５０が搭載する複数のＳＰＰＫ４０に対するＰＢ信号のレベル調整を行うことで、従来のようなＳＰＰＫ４０毎にレベル調整機能を設ける必要がなく、しかも、ＴＳＷ２０側の負担を大幅に軽減しながら、ＳＰＰＫ４０の小型化及びコストパフォーマンスの向上を図り、その結果、ＳＰＭ５０の小型化及びコストパフォーマンスの向上を図ることができる。
【産業上の利用可能性】
【００５６】
上記のように構成された本発明の構内交換機のＰＢ信号送出制御装置によれば、通話路モジュール内のモジュール制御装置にレベル制御手段を配置し、このレベル制御手段にて同通話路モジュール内の全通話路パッケージに対するＰＢ信号をレベル調整するようにしたので、従来のような通話路パッケージ毎にレベル調整機能を設ける必要がなく、しかも、通話路制御装置側の負担を大幅に軽減しながら、通話路パッケージの小型化及びコストパフォーマンスの向上を図り、その結果、通話路モジュールの小型化及びコストパフォーマンスの向上を図ることができる。
【図面の簡単な説明】
【００５７】
【図１】本発明の実施の形態を示す構内交換機のＰＢ信号送出制御装置内部の概略構成を示すブロック図である。
【図２】従来技術の構内交換機のＰＢ信号送出制御装置内部の概略構成を示すブロック図である。
【符号の説明】
【００５８】
１  ＰＢ信号送出制御装置
１０  中央処理装置（ＣＰＥ）
２０  通話路制御装置（ＴＳＷ）
２１  トーン発生回路（ＴＧ）
２３  信号受信分配装置（ＳＲＤ）
３０  通信回線
４０  通話路パッケージ（ＳＰＰＫ）
５０  通話路モジュール（ＳＰＭ）
６０  モジュール制御装置（ＭＣＮＴ）
６３  制御部（レベル制御手段）
６４  レベル調整部(レベル制御手段)
【図１】
2006325128.tif 000003
【図２】
2006325128.tif 000004